(57)【要約】【課題】  容量の小さなメモリで複数の画像をレイアウトして印刷イメージを表示出力することができる印刷装置を提供する。【解決手段】  現在設定されているリサイズサイズＳによりリサイズされた表示用画像を表示用データ格納領域に格納可能な最大数としての最大記憶数Ｎｍａｘを計算し（Ｓ２１０）、表示用データ格納領域に格納されている画像記憶数Ｎが最大記憶数Ｎｍａｘに一致するときには、リサイズサイズＳを４分の１に設定し（Ｓ２４０）、表示用データ格納領域に格納されている各表示用画像を設定した新たなリサイズサイズＳによりリサイズした画像により更新し（Ｓ２５０）、追加の画像を新たなリサイズサイズＳでリサイズして表示用データ格納領域に格納する（Ｓ２６０）。これにより、容量の小さな複数の画像をレイアウトして印刷イメージを表示出力することができる。【選択図】        図５
2005161805.tif 000002
【特許請求の範囲】
【請求項１】
画像を印刷する印刷装置であって、
記憶媒体を装着可能な記憶媒体装着手段と、
印刷しようとする画像をリサイズした表示用画像を含む表示用データを所定データ容量の範囲内で記憶可能な表示用データ記憶手段と、
前記記憶媒体装着手段に装着された記憶媒体に記憶されている画像から印刷しようとする画像を指定する画像指定手段と、
該指定された画像の印刷イメージにおけるレイアウトを設定するレイアウト設定手段と、
前記画像指定手段による画像の指定に伴って該指定された画像に係る表示用画像を前記表示用データ記憶手段に記憶させる際、該指定された画像に係る表示用画像を含めて該表示用データ記憶手段に記憶される表示用データの総量が前記所定データ容量の範囲内となるよう該表示用データ記憶手段に記憶されている表示用画像のサイズを調整すると共に該指定された画像を該調整されたサイズにリサイズして表示用画像として該表示用データ記憶手段に記憶させる画像記憶時制御手段と、
前記表示用データ記憶手段に記憶された表示用データと前記レイアウト設定手段により設定されたレイアウトとに基づいて印刷イメージを生成して表示機器へ表示出力する表示出力制御手段と、
前記記憶媒体に記憶されている画像と前記レイアウト設定手段により設定されたレイアウトとに基づいて印刷用データを調整して印刷を実行する印刷実行手段と、
を備える印刷装置。
【請求項２】
前記画像記憶時制御手段は、所定倍率をもって前記表示用画像のサイズを調整する手段である請求項１記載の印刷装置。
【請求項３】
前記画像記憶時制御手段は、表示用画像のサイズを縮小するときには前記所定倍率として２５％または５０％の縮小率をもって表示用画像のサイズを調整する手段である請求項２記載の印刷装置。
【請求項４】
前記画像記憶時制御手段は、複数段に亘って表示用画像のサイズを調整する手段である請求項２または３記載の印刷装置。
【請求項５】
前記画像記憶時制御手段は、所定サイズを表示用画像の最大サイズとして表示用画像を調整する手段である請求項１ないし４いずれか記載の印刷装置。
【請求項６】
前記画像記憶時制御手段は、表示用画像のサイズを縮小するときには縮小前の表示用画像を用いて表示用画像を調整し、表示用画像のサイズを拡大するときには前記記憶媒体に記憶されている画像を用いて表示用画像を調整する手段である請求項１ないし５いずれか記載の印刷装置。
【請求項７】
前記レイアウト設定手段は、前記画像指定手段により画像が指定されたとき、該指定された画像に対して所定のレイアウトを設定すると共に該設定したレイアウトを変更可能な手段である請求項１ないし６いずれか記載の印刷装置。
【請求項８】
前記レイアウト設定手段は、画像を重ねてレイアウト設定可能な手段である請求項１ないし７いずれか記載の印刷装置。
【請求項９】
前記表示出力制御手段は、印刷イメージ作成用の作成用記憶領域を備え、前記レイアウト設定手段により画像を重ねてレイアウト設定したときには、前記作成用記憶領域にレイアウトにおいて下層となる画像を描画した後に上層となる画像を重ねて描画して印刷イメージを作成する手段である請求項８記載の印刷装置。
【請求項１０】
前記レイアウト設定手段は、複数のレイアウト枠が予め設定されたテンプレートのレイアウト枠に前記指定された画像をレイアウト可能な手段である請求項１ないし９記載の印刷装置。
【請求項１１】
請求項１ないし１０いずれか記載の印刷装置であって、
操作者の操作に基づく操作情報を光信号に変換して送信する操作信号送信手段と、
該操作信号送信手段からの光信号を受光する受光部と該受光部で受光した光信号に基づいて前記操作情報を解析する情報解析部とを有する情報受信解析手段と、
該情報受信解析手段により解析された操作情報に基づいて前記画像指定手段とレイアウト設定手段と前記印刷実行手段とを制御する操作制御手段と、
を備える印刷装置。
【請求項１２】
請求項１１記載の印刷装置であって、
前記操作信号送信手段を備える操作信号送信機と、
前記記憶媒体装着手段と前記表示用データ記憶手段と前記画像指定手段と前記レイアウト設定手段と前記画像記憶時制御手段と前記表示出力制御手段と前記印刷実行手段と前記情報受信解析手段と前記操作制御手段とを単一の筐体に備える印刷装置本体と、
からなる印刷装置。
【請求項１３】
前記印刷装置本体は、外観が高さが２０ｃｍ以下で幅が６０ｃｍ以下で奥行きが６０ｃｍ以下の略箱形形状に形成されてなる請求項１２記載の印刷装置。
【請求項１４】
前記印刷装置本体は、側面の一方を正面とし、該正面から印刷用記録剤カートリッジを着脱することを特徴とする請求項１２または１３記載の印刷装置。
【請求項１５】
前記印刷装置本体は、側面の一方を正面とし、該正面から給排紙することを特徴とする請求項１２ないし１４いずれか記載の印刷装置。
【請求項１６】
前記表示機器はテレビ受像器である請求項１ないし１５記載の印刷装置。
【請求項１７】
記憶媒体を装着可能な記憶媒体装着手段と、表示用画像を含む表示用データを所定データ容量の範囲内で記憶可能な表示用データ記憶手段と、を備え、前記記憶媒体装着手段に装着された記憶媒体に記憶されている画像から印刷しようとする画像を指定し、該指定された画像の印刷イメージにおけるレイアウトを設定し、該設定されたレイアウトに基づいて印刷用データを調整して印刷を実行する印刷装置の制御方法であって、
前記画像の指定に伴って該指定された画像に係る表示用画像を前記表示用データ記憶手段に記憶させる際、該指定された画像に係る表示用画像を含めて該表示用データ記憶手段に記憶される表示用データの総量が前記所定データ容量の範囲内となるよう該表示用データ記憶手段に記憶されている表示用画像のサイズを調整すると共に該指定された画像を該調整されたサイズの表示用画像として該表示用データ記憶手段に記憶させ、
前記表示用データ記憶手段に記憶された表示用データと前記設定されたレイアウトとに基づいて印刷イメージを生成して表示機器へ表示出力する
ことを特徴とする印刷装置の制御方法。
【発明の詳細な説明】
【技術分野】
【０００１】
本発明は、印刷装置およびその制御方法に関する。
【背景技術】
【０００２】
従来、この種の印刷装置としては、ストレージから読み込んだ画像を家庭用のテレビ画面に表示して拡大縮小などの編集を施した後に印刷するものが提案されている（例えば、非特許文献１参照）。この装置では、テレビ画面に表示される領域を印刷領域としてストレージから画像を読み込んで割り付け、画像の配置を変更したり、画像を拡大または縮小したり、画像を回転させたり、文字を入力したりするなどの編集を施して印刷することができる。
【０００３】
また、画像が描画された複数の画面を重ねて表示したり、複数の画面を重ねて得られる結果を印刷したりするアプリケーションソフトも提案されている（例えば、非特許文献２参照）。このアプリケーションソフトは、コンピュータにインストールされて起動し、コンピュータ上で画像を描画した画面や背景を描画した画面などを重ねて表示し、その結果についてプリンタなどの印刷装置で印刷できるようになっている。
【０００４】
【非特許文献１】松下電器産業株式会社、「Ｐａｎａｓｏｎｉｃ  ホームフォトプリンターＳＶ−ＡＰ１０」、［平成１５年１１月２２日検索］、インターネット＜URL:http://prodb.matsushita.co.jp/products/panasonic/SV/SV-AP10.html＞，＜URL:http://prodb.matsushita.co.jp/products/panasonic/SV/SV-AP10_s.html＞
【非特許文献２】「知識ゼロからはじめるＡｄｏｂｅ  Ｐｈｏｔｏｓｈｏｐ６でデジタル画像が自由自在」，仲田玲子，株式会社ビー・エヌ・エヌ，２００１年１月１５日，ｐ．５３−５６
【発明の開示】
【発明が解決しようとする課題】
【０００５】
しかしながら、上述の印刷装置では、テレビ画像を見ながら複数の画像を重ねてレイアウトして編集することはできない。また、こうした印刷装置に画面を重ねて表示するものを適用することも考えられるが、この場合、複数の画面を重ねて表示するために容量の大きなメモリを印刷装置に搭載する必要がある。
【０００６】
本発明の印刷装置およびその制御方法は、容量の小さなメモリで複数の画像をレイアウトして印刷イメージを表示出力することができる印刷装置を提供することを目的とする。
【課題を解決するための手段】
【０００７】
本発明の印刷装置およびその制御方法は、上述の目的を達成するために以下の手段を採った。
【０００８】
本発明の印刷装置は、
画像を印刷する印刷装置であって、
記憶媒体を装着可能な記憶媒体装着手段と、
印刷しようとする画像をリサイズした表示用画像を含む表示用データを所定データ容量の範囲内で記憶可能な表示用データ記憶手段と、
前記記憶媒体装着手段に装着された記憶媒体に記憶されている画像から印刷しようとする画像を指定する画像指定手段と、
該指定された画像の印刷イメージにおけるレイアウトを設定するレイアウト設定手段と、
前記画像指定手段による画像の指定に伴って該指定された画像に係る表示用画像を前記表示用データ記憶手段に記憶させる際、該指定された画像に係る表示用画像を含めて該表示用データ記憶手段に記憶される表示用データの総量が前記所定データ容量の範囲内となるよう該表示用データ記憶手段に記憶されている表示用画像のサイズを調整すると共に該指定された画像を該調整されたサイズにリサイズして表示用画像として該表示用データ記憶手段に記憶させる画像記憶時制御手段と、
前記表示用データ記憶手段に記憶された表示用データと前記レイアウト設定手段により設定されたレイアウトとに基づいて印刷イメージを生成して表示機器へ表示出力する表示出力制御手段と、
前記記憶媒体に記憶されている画像と前記レイアウト設定手段により設定されたレイアウトとに基づいて印刷用データを調整して印刷を実行する印刷実行手段と、
を備えることを要旨とする。
【０００９】
この本発明の印刷装置では、記憶媒体装着手段に装着された記憶媒体に記憶されている画像から印刷しようとする画像を指定すると、この指定に伴って指定された画像に係る表示用画像を含めて表示用画像を含む表示用データを記憶する表示用データ記憶手段に記憶される表示用データの総量が所定データ容量の範囲内となるよう記憶されている表示用画像のサイズを調整すると共に指定された画像を調整されたサイズにリサイズして表示用画像として表示用データ記憶手段に記憶させる。そして、こうして記憶された表示用データと設定されたレイアウトとに基づいて印刷イメージを生成して表示機器へ表示出力し、記憶媒体に記憶されている画像と設定されたレイアウトとに基づいて印刷用データを調整して印刷を実行する。即ち、表示用画像のサイズを調整することにより、所定データ容量の範囲内で複数の画像の表示用画像を記憶し、これを用いて印刷イメージを作成して表示機器へ表示出力することができるのである。この結果、少ない容量の表示用データ記憶手段を用いて複数の画像を用いた印刷イメージを作成して表示出力することができる。ここで、表示機器はテレビ受像器を用いることもできる。
【００１０】
こうした本発明の印刷装置において、前記画像記憶時制御手段は、所定サイズを表示用画像の最大サイズとして表示用画像を調整する手段であるものとすることもできるし、所定倍率をもって前記表示用画像のサイズを調整する手段であるものとすることもできる。この場合、前記画像記憶時制御手段は、表示用画像のサイズを縮小するときには前記所定倍率として２５％または５０％の縮小率をもって表示用画像のサイズを調整する手段であるものとすることもできる。また、前記画像記憶時制御手段は、複数段に亘って表示用画像のサイズを調整する手段であるものとすることもできる。こうすれば、少ない容量の表示用データ記憶手段を用いて複数の画像を用いた印刷イメージを作成して表示出力することができる。
【００１１】
また、本発明の印刷装置において、前記画像記憶時制御手段は、表示用画像のサイズを縮小するときには縮小前の表示用画像を用いて表示用画像を調整し、表示用画像のサイズを拡大するときには前記記憶媒体に記憶されている画像を用いて表示用画像を調整する手段であるものとすることもできる。こうすれば、表示用画像のサイズを縮小するときには迅速に処理することができると共に表示用画像のサイズを拡大するときには拡大前の表示用画像を用いる場合に比して高い画質の表示用画像を調整することができる。
【００１２】
さらに、本発明の印刷装置において、前記レイアウト設定手段は、前記画像指定手段により画像が指定されたとき、該指定された画像に対して所定のレイアウトを設定すると共に該設定したレイアウトを変更可能な手段であるものとすることもできる。こうすれば、画像のレイアウトを迅速に行なうことができる。
【００１３】
あるいは、本発明の印刷装置において、前記レイアウト設定手段は、画像を重ねてレイアウト設定可能な手段であるものとすることもできる。この場合、前記表示出力制御手段は、印刷イメージ作成用の作成用記憶領域を備え、前記レイアウト設定手段により画像を重ねてレイアウト設定したときには、前記作成用記憶領域にレイアウトにおいて下層となる画像を描画した後に上層となる画像を重ねて描画して印刷イメージを作成する手段であるものとすることもできる。こうすれば、少ない容量の作成用記憶領域で複数の画像を重ねた印刷イメージを作成して表示出力することができる。
【００１４】
また、本発明の印刷装置において、前記レイアウト設定手段は、複数のレイアウト枠が予め設定されたテンプレートのレイアウト枠に前記指定された画像をレイアウト可能な手段であるものとすることもできる。こうすれば、テンプレートを用いて画像をレイアウトすることができる。
【００１５】
本発明の印刷装置において、操作者の操作に基づく操作情報を光信号に変換して送信する操作信号送信手段と、該操作信号送信手段からの光信号を受光する受光部と該受光部で受光した光信号に基づいて前記操作情報を解析する情報解析部とを有する情報受信解析手段と、該情報受信解析手段により解析された操作情報に基づいて前記画像指定手段とレイアウト設定手段と前記印刷実行手段とを制御する操作制御手段と、を備えるものとすることもできる。
【００１６】
こうした操作信号送信手段と情報受信解析手段と操作制御手段とを備える態様の本発明の印刷装置において、前記操作信号送信手段を備える操作信号送信機と、前記記憶媒体装着手段と前記表示用データ記憶手段と前記画像指定手段と前記レイアウト設定手段と前記画像記憶時制御手段と前記表示出力制御手段と前記印刷実行手段と前記情報受信解析手段と前記操作制御手段とを単一の筐体に備える印刷装置本体と、からなるものとすることもできる。こうすれば、印刷装置本体から離れた場所で印刷操作を行なうことができる。この場合、前記印刷装置本体は外観が高さが２０ｃｍ以下で幅が６０ｃｍ以下で奥行きが６０ｃｍ以下の略箱形形状に形成されてなるものとすることもできる。また、前記印刷装置本体は、側面の一方を正面とし、該正面から印刷用記録剤カートリッジを着脱することを特徴とするものとすることもできるし、該正面から給排紙することを特徴とするものとすることもできる。
【００１７】
本発明の印刷装置の制御方法は、
記憶媒体を装着可能な記憶媒体装着手段と、表示用画像を含む表示用データを所定データ容量の範囲内で記憶可能な表示用データ記憶手段と、を備え、前記記憶媒体装着手段に装着された記憶媒体に記憶されている画像から印刷しようとする画像を指定し、該指定された画像の印刷イメージにおけるレイアウトを設定し、該設定されたレイアウトに基づいて印刷用データを調整して印刷を実行する印刷装置の制御方法であって、
前記画像の指定に伴って該指定された画像に係る表示用画像を前記表示用データ記憶手段に記憶させる際、該指定された画像に係る表示用画像を含めて該表示用データ記憶手段に記憶される表示用データの総量が前記所定データ容量の範囲内となるよう該表示用データ記憶手段に記憶されている表示用画像のサイズを調整すると共に該指定された画像を該調整されたサイズの表示用画像として該表示用データ記憶手段に記憶させ、
前記表示用データ記憶手段に記憶された表示用データと前記設定されたレイアウトとに基づいて印刷イメージを生成して表示機器へ表示出力する
ことを特徴とする。
【００１８】
この本発明の印刷装置の制御方法では、記憶媒体装着手段に装着された記憶媒体に記憶されている画像から印刷しようとする画像を指定すると、この指定に伴って指定された画像に係る表示用画像を含めて表示用画像を含む表示用データを記憶する表示用データ記憶手段に記憶される表示用データの総量が所定データ容量の範囲内となるよう記憶されている表示用画像のサイズを調整すると共に指定された画像を調整されたサイズにリサイズして表示用画像として表示用データ記憶手段に記憶させる。そして、こうして記憶された表示用データと設定されたレイアウトとに基づいて印刷イメージを生成して表示機器へ表示出力し、設定されたレイアウトに基づいて印刷用データを調整して印刷を実行する。即ち、表示用画像のサイズを調整することにより、所定データ容量の範囲内で複数の画像の表示用画像を記憶し、これを用いて印刷イメージを作成して表示機器へ表示出力することができるのである。この結果、少ない容量の表示用データ記憶手段を用いて複数の画像を用いた印刷イメージを作成して表示出力することができる。
【発明を実施するための最良の形態】
【００１９】
次に、本発明を実施するための最良の形態を実施例を用いて説明する。
【実施例】
【００２０】
図１は本発明の一実施例としての印刷装置２０を備える印刷システム１０の構成の概略を示す構成図であり、図２は実施例の印刷装置２０のメイン基板３０を中心に印刷システム１０を機能ブロックとして示すブロック図である。実施例の印刷装置２０は、ケーブル１４を介して接続されたテレビ受像器１２とにより印刷システム１０を構成しており、印刷装置本体２２と、印刷装置本体２２を遠隔操作するための発光部９２を備えるリモートコントロールユニット（以下、リモコンと称す）９０とから構成されている。印刷装置本体２２は、高さが５〜２０ｃｍで幅が２２ｃｍ〜６０ｃｍで奥行きが１０〜６０ｃｍ（実施例では高さ１２ｃｍ、幅４５ｃｍ、奥行き４５ｃｍ程度）の箱形とし、側面の一方が正面２３となるよう構成されており、この正面２３には、給排紙やインクカートリッジの着脱を正面から行なうための開口部が設けられカバー２４が取り付けられている。また、正面２３の左部には、リモコン９０から送信された光信号（赤外線光信号）を受信するための受光部２６を備える操作パネル２５が設けられており、その下部にはコンパクトフラッシュやＳＤ（Secure Digital）メモリカード，スマートメディアなどのＰＣカード１５を装着するカードスロット２７が設けられている。
【００２１】
実施例の印刷装置２０のメイン基板３０は、図２に示すように、印刷装置２０全体を制御するメイン制御ユニット３２を中心として構成されており、処理プログラムを記憶するＲＯＭ３４、処理に必要なデータを一時的に記憶するＳＤＲＡＭ３６、操作パネル２５からの操作信号や受光部２６で受光した光信号を解析してコード化すると共にカードスロット２７に装着されたＰＣカード１５との入出力を制御するカード操作部制御ユニット３８、ＶＲＡＭ４２への書き込みを用いてテレビ受像器１２への表示出力を制御するビデオチップ４０、印刷ヘッド６３を動かすキャリッジモータ６０や紙送り用のＰＦモータ６１，ポンプモータ６２などを駆動するモータドライバ４４、印刷ヘッド６３の駆動用波形を生成するヘッド用ＤＡＣ４６、デジタルスチルカメラやＣＤ−Ｒなどの周辺機器１７と接続するためのホスト用ＵＳＢコネクタ４８、コンピュータ（ＰＣ）１６などと接続するためのデバイス用ＵＳＢコネクタ５０、キャリッジの位置を検出するＣＲエンコーダ６４や紙送りの位置を検出するＰＦエンコーダ６５，ＤＶＤトレーにおけるＤＶＤの有無を検出するＤＶＤトレー検出センサ６６，紙送り機構における用紙の有無を検出する用紙検出センサ６７，用紙トレーにおける用紙の有無を検出する用紙トレー検出センサ６８，カバー２４が開いているのを検出するカバーオープンセンサ６９などの各種センサの接続コネクタ、電源１９への接続コネクタが設けられている。これらの各ユニットやコネクタは、バスや信号ラインによりメイン制御ユニット３２に接続されている。
【００２２】
メイン制御ユニット３２は、カード操作部制御ユニット３８を介してＰＣカード１５から入力した画像ファイルやホスト用ＵＳＢコネクタ４８を介して周辺機器１７から入力した画像ファイルをファイルの形式に応じて展開すると共にレイアウト処理を行なって印刷イメージを作成し、これをＣＭＹＫへの色変換や２値化などの処理を行なって印刷ヘッド６３により印刷可能なデータとして印刷を実行したり、デバイス用ＵＳＢコネクタ５０を介してＰＣ１６から入力したプリンタ制御用のコマンドと印刷データに基づいて印刷を実行する。また、メイン制御ユニット３２は、こうした印刷の実行処理だけでなく、画像ファイルの入出力やレイアウトの設定，印刷条件の設定など各種操作をテレビ受像器１２への表示と受光部２６や操作パネル２５からの入力とによって行なう際の処理も実行する。
【００２３】
次に、こうして構成された実施例の印刷装置２０の動作、特に印刷しようとする画像を複数入力する際の動作について説明する。説明の容易のために、図３に例示する応用プリントの自由レイアウトにおける編集設定画面１００を用いて説明する。この編集設定画面１００は、予めレイアウトが定められたテンプレートを用いての通常プリントやこの通常プリントとは異なる応用プリントなどから応用プリントを選択し、応用プリントの項目として含まれるＣＤ−ＲやＤＶＤ−Ｒのレーベル作成や操作者が自由にレイアウトを設定してプリントする自由レイアウトなどから自由レイアウトを選択し、更に、印刷用紙の種類やサイズなどの印刷設定を行なった後にテレビ受像器１２に表示される画面であり、リモコン９０からの操作により設定した印刷用紙に画像を選択して自由にレイアウトすることができる。この編集設定画面１００は、図示するように、最上部の現在の処理状況がどの段階にあるかを示す処理メニュー１０２と、左部の印刷イメージ１０５を表示する作業部１０４と、右部の選択可能な画像を一覧表示する画像表示部１０６と、最下部のリモコン９０のボタン操作を説明する操作説明部１０８とにより構成されている。こうした編集設定画面１００は、ビデオチップ４０がＲＯＭ３４に予め用意されている画面フレームをＶＲＡＭ４２に書き込むと共にＰＣカード１５に記憶されている画像ファイルのサムネイルやリサイズ画像をカード操作部制御ユニット３８を介して読み込んでＶＲＡＭ４２に書き込むことによってテレビ受像器１２に表示出力している。
【００２４】
こうした編集設定画面１００をテレビ受像器１２に表示出力しているときにリモコン９０や操作パネル２５のボタン操作がなされると、図４に例示する応用プリント自由レイアウト処理がメイン制御ユニット３２により実行される。いま、この編集設定画面１００で画像Ａを追加してレイアウトを変更し、その後、画像Ｄを追加してレイアウトを変更し、更に、画像Ｆを追加してレイアウトを変更する事例を考える。
【００２５】
リモコン９０によるボタン操作によりフォーカスフレームが編集設定画面１００における画像表示部１０６内の画像Ａに合わせられて「ＯＫ」ボタンが押されると、応用プリント自由レイアウト処理が実行され、写真（画像）の追加を意味する「ＯＫ」ボタンの操作が判定され（ステップＳ１００）、表示用画像追加処理を実行する（ステップＳ１１０）。この表示用画像追加処理は図５に例示するフローチャートを実行することにより行なわれる。表示用画像追加処理では、まず、現在のリサイズサイズＳとＳＤＲＡＭ３６に割り当てられた表示用データ格納領域に記憶されている表示用画像の数を意味する画像記憶数Ｎを入力する処理を実行する（ステップＳ２００）。ここで、リサイズサイズＳは、初期値としては６４０×４８０ピクセルが設定されており、この表示用画像追加処理や後述する表示用画像削除処理により設定されてＳＤＲＡＭ３６の所定アドレスに書き込まれる。また、画像記憶数Ｎは、画像を追加する毎にカウントアップし、画像を削除する毎にカウントダウンすることにより設定される。画像Ａを追加する際のこの事例では、何ら画像の追加が行なわれていない状態を考えているから、リサイズサイズＳについては初期値（６４０×４８０）が設定されており、画像記憶数Ｎには値０が設定されている。続いて、読み込んだリサイズサイズＳに基づいて最大記憶数Ｎｍａｘを計算する（ステップＳ２１０）。最大記憶数Ｎｍａｘは、ＳＤＲＡＭ３６に割り当てられた表示用データ格納領域にリサイズサイズＳにリサイズした表示用画像を記憶することができる最大数であり、実施例では、表示用データ格納領域として２．２ＭＢが確保されているから、初期値のリサイズサイズＳ（６４０×４８０）では値２となる。なお、表示用データ格納領域には、表示用画像の他に文字列なども格納されるから、最大記憶数Ｎｍａｘは、表示用データ格納領域の容量から文字列などが格納された容量を減じたものに対してリサイズサイズＳを考慮して計算される。そして、画像記憶数Ｎと最大記憶数Ｎｍａｘとを比較する（ステップＳ２２０）。画像記憶数Ｎが値０のときを考えているから、画像記憶数Ｎは最大記憶数Ｎｍａｘ未満となり、現在設定されているリサイズサイズＳ（初期値）でリサイズした表示用画像を表示用データ格納領域に追加可能と判断し、リモコン９０のボタン操作により追加すべき画像ＡをＰＣカード１５などから読み込んでリサイズサイズＳでリサイズしてＳＤＲＡＭ３６の表示用データ格納領域に格納し（ステップＳ２６０）、表示用画像追加処理を終了する。この状態におけるＳＤＲＡＭ３６の表示用データ格納領域を図６に示す。
【００２６】
応用プリント自由レイアウト処理では、こうした表示用画像追加処理の後にレイアウト追加処理を実行して（ステップＳ１２０）、画像Ａの追加処理を終了する。このレイアウト追加処理は図７に例示するフローチャートを実行することにより行なわれる。レイアウト追加処理では、まず、追加する画像のＩＤを取得すると共に（ステップＳ３００）、レイアウトの初期値としての初期レイアウトを設定し（ステップＳ３１０）、レイヤ番号Ｌを設定する（ステップＳ３２０）。レイアウトの初期値は、実施例では、図８に例示するように、印刷イメージ１０５の中央に所定の大きさとなるようにした。レイヤ番号Ｌは、複数の画像により印刷イメージ１０５を作成する際に重ねる順番を設定するものであり、画像Ａの追加の場合には他の画像がないため値１が設定される。こうして初期レイアウトやレイヤ番号Ｌが設定されると、設定した初期レイアウトやレイヤ番号Ｌを読み込んだ画像ＩＤと共にレイアウトデータとしてＳＤＲＡＭ３６に割り当てられたレイアウト管理領域に格納し（ステップＳ３３０）、レイアウト追加処理を終了する。
【００２７】
こうして画像Ａが追加されると、編集設定画面１００の印刷イメージ１０５に画像Ａが追加表示される。このときビデオチップ４０により実行される表示処理の一例を図９に示す。この表示処理では、まず、レイヤ番号Ｌに初期値として値１を設定し（ステップＳ４００）、レイヤ番号ＬのレイアウトデータをＳＤＲＡＭ３６のレイアウト管理領域から検索して画像ＩＤとレイアウトとを取得する（ステップＳ４１０）。そして、取得した画像ＩＤに対応する表示用画像をＳＤＲＡＭ３６の表示用データ格納領域から読み出して取得したレイアウトとなるようＶＲＡＭ４２に描画する（ステップＳ４２０）。これにより、図８に示すように、画像Ａが編集設定画面１００の印刷イメージ１０５に表示される。そして、レイヤ番号Ｌをインクリメントして（ステップＳ４３０）、インクリメントしたレイヤ番号Ｌのレイアウトデータがレイアウト管理領域に存在するか否かを判定する（ステップＳ４４０）。データがあればステップＳ４１０の処理に戻り、データがなければこれで表示処理を終了する。画像Ａを追加した直後ではレイヤ番号Ｌが値２のレイアウトデータは格納されていないので画像Ａを描画した直後に表示処理を終了する。
【００２８】
この状態でリモコン９０によるボタン操作によりフォーカスフレームが編集設定画面１００における作業部１０４の印刷イメージ１０５内の画像Ａに合わせられて４方向ボタンにより移動されたり、「大小」ボタンにより拡大縮小されると、図４に例示する応用プリント自由レイアウト処理が実行され、画像の編集を意味するボタン操作が判定され（ステップＳ１００）、編集処理が実行されると共に（ステップＳ１３０）、レイアウト変更処理が実行される（ステップＳ１４０）。編集処理は、画像の位置の変更やその大きさの変更に伴う処理が行なわれるが、本発明の中核をなさないから、その詳細な説明は省略する。レイアウト変更処理は、図１０に例示するフローチャートにより実行される。レイアウト変更処理では、まず、フォーカスフレームが合わせられた画像のＩＤに基づいてレイアウト管理領域に格納されているレイアウトデータを検索してレイヤ番号Ｌを取得し（ステップＳ５００）、取得したレイヤ番号Ｌ以降のレイアウトデータのレイヤ番号Ｌを値１ずつ小さくなるようリナンバする（ステップＳ５１０）。そして、変更されたレイアウトを取得し（ステップＳ５２０）、最後に重ねるために新たなレイヤ番号Ｌを設定し（ステップＳ５３０）、設定したレイヤ番号Ｌと取得したレイアウトによりレイアウトデータを更新して（ステップＳ５４０）、レイアウト変更処理を終了する。これにより、レイアウトを自由に変更し、変更した画像を一番上に重ねた状態とすることができる。こうしたレイアウトの変更が行なわれると、画像Ａを追加したときと同様に、ビデオチップ４０により図９に示す表示処理が実行され、レイアウトを変更した画像を編集設定画面１００の印刷イメージ１０５に表示する。画像Ａのレイアウトを変更したときの印刷イメージ１０５の一例を図１１に示す。
【００２９】
また、この状態でリモコン９０によるボタン操作によりフォーカスフレームが編集設定画面１００における画像表示部１０６内の画像Ｄに合わせられて「ＯＫ」ボタンが押されると、応用プリント自由レイアウト処理が実行されて、画像Ｄの表示用画像を追加するために表示用画像追加処理が実行される。画像Ｄが追加されるときに実行される表示用画像追加処理では、画像Ａが追加されただけの状態であるから、画像記憶数Ｎには値１が設定されており、その結果、画像記憶数Ｎは最大記憶数Ｎｍａｘ未満として判定される（ステップＳ２２０）。したがって、画像ＤをＰＣカード１５などから読み込んで現在設定されている初期値のリサイズサイズＳでリサイズしてＳＤＲＡＭ３６の表示用データ格納領域に格納する（ステップＳ２６０）。画像Ａと画像Ｄとが格納された状態におけるＳＤＲＡＭ３６の表示用データ格納領域を図１２に示す。
【００３０】
こうして画像Ｄが追加されると、画像Ａを追加したときと同様に、ビデオチップ４０により図９に示す表示処理が実行される。このとき、レイヤ番号Ｌの順にレイアウトに基づいて画像がＶＲＡＭ４２に書き込まれるから、画像Ｄが追加されたときには、まず、画像Ａがそのレイアウトに基づいてＶＲＡＭ４２に書き込まれ、その後に画像Ｄが初期レイアウトに基づいてＶＲＡＭ４２に書き込まれる。このとき、レイアウトによっては画像Ａと画像Ｄとが重なる部分が生じるが、レイヤ番号Ｌの順にＶＲＡＭ４２に書き込まれるから、重なる部分については後に書き込まれる画像が上書きされることになる。即ち、レイヤ番号Ｌの順に上書きすることにより、画像の重なりが生じても、複数の画面を重ねて表示する場合に比して、表示用のデータ領域（ＶＲＡＭ４２）の容量を小さくすることができるのである。画像Ｄが追加されたときの印刷イメージ１０５の一例を図１３に示す。こうして追加された画像Ｄについても画像Ａのときと同様に、レイアウトを変更することができる。この処理については画像Ａのレイアウトを変更したときと同様であるから、その詳細については省略する。画像Ｄのレイアウトを変更したときの印刷イメージ１０５の一例を図１４に示す。
【００３１】
この状態でリモコン９０によるボタン操作によりフォーカスフレームが編集設定画面１００における画像表示部１０６内の画像Ｆに合わせられて「ＯＫ」ボタンが押されると、応用プリント自由レイアウト処理が実行されて、画像Ｆの表示用画像を追加するために表示用画像追加処理が実行される。画像Ｆが追加されるときに実行される表示用画像追加処理では、画像Ａと画像Ｄとが追加された状態であるから、画像記憶数Ｎには値２が設定されており、その結果、画像記憶数Ｎは値２が設定された最大記憶数Ｎｍａｘに一致する。このように、画像記憶数Ｎが最大記憶数Ｎｍａｘと一致すると判定されると（ステップＳ２２０）、リサイズサイズＳが最小サイズＳｍｉｎであるか否かを判定する（ステップＳ２３０）。最小サイズＳｍｉｎは、表示用画像の最小サイズを設定するものであり、実施例では８０×６０ピクセルに設定されている。リサイズサイズＳには画像Ｆが追加される場合には初期値の６４０×４８０ピクセルが設定されているから、リサイズサイズＳは最小サイズＳｍｉｎに一致しないと判定され、現在設定されているリサイズサイズＳの４分の１のサイズを新たなリサイズサイズＳとして設定する（ステップＳ２４０）。画像Ｆを追加する事例では３２０×２４０ピクセルが新たなリサイズサイズＳとして設定される。そして、ＳＤＲＡＭ３６の表示用データ格納領域に格納されている各表示用画像を新たに設定したリサイズサイズＳでリサイズした画像に更新する（ステップＳ２５０）。即ち、画像Ａと画像Ｄの表示用画像を３２０×２４０ピクセルでリサイズして格納し直すのである。そして、画像ＦをＰＣカード１５などから読み込んでリサイズサイズＳでリサイズしてＳＤＲＡＭ３６の表示用データ格納領域に格納し（ステップＳ２６０）、表示用画像追加処理を終了する。この状態におけるＳＤＲＡＭ３６の表示用データ格納領域を図１５に示す。このように、リサイズサイズＳを初期値（６４０×４８０ピクセル）の４分の１の３２０×２４０ピクセルとすることにより、２．２ＭＢの表示用データ格納領域には表示用画像を９個まで格納することができる。こうして画像Ｆが追加されると、画像Ａや画像Ｄを追加したときと同様に、ビデオチップ４０により図９に示す表示処理が実行され、レイヤ番号Ｌの順にレイアウトに基づいて画像がＶＲＡＭ４２に書き込まれる。画像Ｆが追加されたときには、画像Ａ、画像Ｄ、画像Ｆの順にＶＲＡＭ４２に上書きされる。画像Ｆが追加されたときの印刷イメージ１０５の一例を図１６に示す。このとき、表示用画像のサイズが４分の１にされたことにより、印刷イメージ１０５に表示される画像の解像度は低くなるが、印刷イメージ１０５は解像度の低いテレビ受像器１２に表示されるから、解像度の低下は殆ど解らない。最小サイズＳｍｉｎは、こうした解像度の低下から許容される最小の画像サイズとして設定されている。
【００３２】
こうして画像が追加され、図５の表示用画像追加処理のステップＳ２２０で再び画像記憶数Ｎが最大記憶数Ｎｍａｘに一致すると判定されると、リサイズサイズＳを４分の１の１６０×１２０ピクセルに設定し（ステップＳ２４０）、ＳＤＲＡＭ３６の表示用データ格納領域に格納されている各表示用画像を新たに設定したリサイズサイズＳでリサイズした画像に更新する（ステップＳ２５０）。この状態におけるＳＤＲＡＭ３６の表示用データ格納領域を図１７に示す。実施例では、この１６０×１２０ピクセルのリサイズサイズＳのときには、表示用データ格納領域には、最大３８個の表示用画像を格納することができる。実施例では、最小サイズＳｍｉｎとして８０×６０ピクセルが設定されているから、リサイズサイズＳが最小サイズＳｍｉｎのときには、表示用データ格納領域には最大１５２個の表示用画像を格納することができる。
【００３３】
なお、表示用画像追加処理では、リサイズサイズＳが最小サイズＳｍｉｎで画像記憶数Ｎが最大記憶数Ｎｍａｘに一致するときには、これ以上の画像の追加はできないとして、画像の追加をせずに処理を終了する。
【００３４】
次に、こうして画像が追加された後に印刷イメージ１０５に表示された画像を削除する処理について説明する。リモコン９０によるボタン操作によりフォーカスフレームが編集設定画面１００における作業部１０４の印刷イメージ１０５内の画像に合わせられて「削除」ボタンが操作されると、図４に例示する応用プリント自由レイアウト処理が実行され、画像の削除を意味するボタン操作が判定され（ステップＳ１００）、表示用画像削除処理とレイアウト削除処理とが実行される（ステップＳ１５０，Ｓ１６０）。表示用画像削除処理は図１８に例示するフローチャートにより実行され、レイアウト削除処理は図１９に例示するフローチャートにより実行される。
【００３５】
表示用画像削除処理では、まず、現在のリサイズサイズＳとＳＤＲＡＭ３６に割り当てられた表示用データ格納領域に記憶されている画像記憶数Ｎを入力し（ステップＳ６００）、表示用データ格納領域から削除すべき表示用画像を削除して（ステップＳ６１０）、入力したリサイズサイズＳに基づいて最小記憶数Ｎｍｉｎを計算し（ステップＳ６２０）、画像記憶数Ｎと最小記憶数Ｎｍｉｎとを比較する（ステップＳ６３０）。ここで、最小記憶数Ｎｍｉｎは、現在のリサイズサイズＳより一段大きなリサイズサイズとしたときに表示用データ格納領域に表示用画像を記憶することができる最大数として計算される。例えば、リサイズサイズＳが３２０×２４０ピクセルのときには、これより一段大きな６４０×４８０ピクセルをリサイズサイズとしたときの表示用データ格納領域に表示用画像を記憶することができる最大数であるから値２となり、リサイズサイズＳが１６０×１２０ピクセルのときには、３２０×２４０ピクセルをリサイズサイズとしたときの表示用データ格納領域に表示用画像を記憶することができる値９となる。いま、３２０×２４０ピクセルをリサイズサイズＳとしたときに４個の表示用画像が表示用データ格納領域に格納されているときに画像が削除される場合を考えれば、３個の表示用画像が表示用データ格納領域に格納されている状態となるから、画像記憶数Ｎは最小記憶数Ｎｍｉｎに一致せず、このまま表示用画像削除処理を終了する。３２０×２４０ピクセルをリサイズサイズＳとしたときに３個の表示用画像が表示用データ格納領域に格納されているときに画像が削除される場合を考えれば、２個の表示用画像が表示用データ格納領域に格納されている状態となるから、画像記憶数Ｎは最小記憶数Ｎｍｉｎに一致する。このとき、リサイズサイズＳが初期値の最大サイズＳｍａｘであるか否かを判定する（ステップＳ６４０）。リサイズサイズＳが初期値でないときには、現在設定されているリサイズサイズＳの４倍のサイズを新たなリサイズサイズＳとして設定し（ステップＳ６５０）、表示用データ格納領域に格納されている各表示用画像をＰＣカード１５に記憶されている元画像を用いて新たに設定されたリサイズサイズＳでリサイズした画像に更新して（ステップＳ６６０）。表示用画像削除処理を終了する。ここで、ＰＣカード１５に記憶されている元画像を用いてリサイズするのは、表示用データ格納領域に格納されている表示用画像の解像度を高くするためである。こうしてリサイズサイズＳが初期値で画像記憶数Ｎが最小記憶数Ｎｍｉｎに一致したとき（このときの最小記憶数Ｎｍｉｎは値０）には、リサイズサイズＳの変更することなく、表示用画像削除処理を終了する。こうした表示用画像削除処理により、多数の画像を追加したことによって表示用画像の解像度を低くしても、画像を削除するに伴って表示用画像の解像度を高くすることができる。
【００３６】
レイアウト削除処理では、削除の対象となるレイアウトデータをＳＤＲＡＭ３６のレイアウト管理領域から削除し（ステップＳ７００）、レイアウト管理領域のレイアウトデータのレイヤ番号Ｌをリナンバして（ステップＳ７１０）、レイアウト削除処理を終了する。
【００３７】
こうして画像Ｆが削除されると、ビデオチップ４０により図９に示す表示処理が実行され、レイヤ番号Ｌの順にレイアウトに基づいて画像がＶＲＡＭ４２に書き込まれるから、削除した画像はテレビ受像器１２の印刷イメージ１０５から削除される。
【００３８】
実施例の印刷装置２０では、上述した表示用画像追加処理や表示用画像削除処理については、応用プリントモードだけでなく、テンプレートを用いた通常プリントモードでも実行される。例えば、図２０に例示する通常プリントモードの編集設定画面２００に示すように、印刷イメージ２０５のレイアウト枠に画像を選択する際にも表示用画像追加処理や表示用画像削除処理が実行される。
【００３９】
以上説明した実施例の印刷装置２０によれば、追加した画像が多くなるとリサイズサイズＳを小さくして表示用データ格納領域に格納されている表示用画像をリサイズすることにより追加する画像の表示用画像の格納領域を確保するから、容量の小さな表示用データ格納領域を用いても多数の画像を追加して表示することができる。また、印刷イメージ１０５から画像を削除したときには、リサイズサイズＳを大きくしてＰＣカード１５に記憶されている元画像を用いてリサイズして表示用データ格納領域に格納されている表示用画像を更新することにより、テレビ受像器１２により表示される印刷イメージ１０５の解像度をより高くすることができる。
【００４０】
また、実施例の印刷装置２０によれば、追加した画像のレイアウトを変更したりして画像が重なるときには、レイヤ番号Ｌの順にレイアウトに基づいてＳＤＲＡＭ３６の表示用データ格納領域に格納された表示用画像を用いてＶＲＡＭ４２に書き込むから、複数の画面を重ねて表示する場合に比して、表示用のデータ領域（ＶＲＡＭ４２）の容量を小さくすることができる。
【００４１】
実施例の印刷装置２０では、カードスロット２７が記憶媒体装着手段に相当し、ＳＤＲＡＭ３６の表示用データ格納領域が表示用データ記憶手段に相当し、編集設定画面１００上でフォーカスフレームを移動させてＰＣカード１５に記憶された画像のサムネイルに合わせて「ＯＫ」ボタンを操作する処理を行なうリモコン９０やメイン制御ユニット３２，ビデオチップ４０が画像指定手段に相当し、初期レイアウトを設定する処理やレイアウトの変更処理を実行するリモコン９０やメイン制御ユニット３２，ビデオチップ４０がレイアウト設定手段に相当し、表示用画像追加処理や表示用画像削除処理を実行するメイン制御ユニット３２が画像記憶時制御手段に相当し、ビデオチップ４０やＶＲＡＭ４２が表示出力制御手段に相当し、色変換や２値化を行なうメイン制御ユニット３２やモータドライバ４４，ヘッド用ＤＡＣ４６などが印刷実行手段に相当する。
【００４２】
実施例の印刷装置２０では、画像の追加や削除に伴ってリサイズサイズＳを４分の１（２５％）や４倍（４００％）に変更して表示用データ格納領域の表示用画像を新たなリサイズサイズＳによりリサイズした画像で更新するものとしたが、リサイズサイズＳの変更の際の拡大縮小率はこうした倍率に限定されるものではなく、例えば、２分の１（５０％）や２倍（２００％）など如何なる倍率としても構わない。
【００４３】
実施例の印刷装置２０では、画像の追加や削除に伴ってリサイズサイズＳを複数回に亘って変更して表示用データ格納領域の表示用画像を新たなリサイズサイズＳによりリサイズした画像で更新するものとしたが、リサイズサイズＳの変更の回数は何回でもよい。
【００４４】
実施例の印刷装置２０では、画像記憶数Ｎが最大記憶数Ｎｍａｘに一致したときにリサイズサイズＳを４分の１とし、画像記憶数Ｎが最小記憶数Ｎｍｉｎに一致したときにリサイズサイズＳを４倍として表示用データ格納領域の表示用画像を新たなリサイズサイズＳによりリサイズした画像で更新するものとしたが、表示用データ格納領域に格納すべき表示用画像の数に応じてリサイズサイズＳを設定して表示用データ格納領域の表示用画像をリサイズするものとしてもよい。
【００４５】
実施例の印刷装置２０では、画像を追加する際に画像記憶数Ｎが最大記憶数Ｎｍａｘに一致したときにリサイズサイズＳを４分の１とし、画像を削除する際に画像記憶数Ｎが最小記憶数Ｎｍｉｎに一致したときにリサイズサイズＳを４倍として表示用データ格納領域の表示用画像を新たなリサイズサイズＳによりリサイズした画像で更新するものとしたが、画像を追加する際に画像記憶数Ｎが最大記憶数Ｎｍａｘに一致したときにはリサイズサイズＳを４分の１として表示用データ格納領域の表示用画像を新たなリサイズサイズＳによりリサイズした画像で更新するが、画像を削除する際には画像記憶数Ｎが最小記憶数Ｎｍｉｎに一致してもリサイズサイズＳを変更しないものとしてもよい。
【００４６】
実施例の印刷装置２０では、ビデオチップ４０による表示処理としてレイヤ番号Ｌの順にレイアウトに基づいて表示用データ格納領域に格納された表示用画像を用いてＶＲＡＭ４２に上書きするものとしたが、ＶＲＡＭ４２に複数画面用の容量を確保し、複数画面に重ねる画像を描画して重ねて表示するものとしてもよい。
【００４７】
実施例の印刷装置２０では、印刷装置本体２２の外形を高さが２０ｃｍ以下で幅が６０ｃｍ以下で奥行きが６０ｃｍ以下としたが、こうした外形に限定されるものではなく、如何なる形状をしていても構わない。
【００４８】
実施例の印刷装置２０では、側面の一方を正面２３とし、正面２３からインクカートリッジの着脱を行なったり、給排紙するものとしたが、インクカートリッジの着脱を他の部位から行なうものとしたり、給排紙を他の部位から行なうものとしても差し支えない。
【００４９】
実施例の印刷装置２０では、ビデオチップ４０からの表示出力の出力先としてケーブル１４を介して接続されたテレビ受像器１２としたが、他の如何なる表示機器を表示出力の出力先としても構わない。
【００５０】
実施例では、追加した画像が多くなるとリサイズサイズを小さくして表示用データ格納領域に格納されている表示用画像をリサイズすることにより追加する画像の表示用画像の格納領域を確保したり、画像の削除に伴ってリサイズサイズを大きくして表示用データ格納領域に格納されている表示用画像を更新する本発明を印刷装置２０の形態として説明したが、印刷装置２０の制御方法の形態としてもよい。
【００５１】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００５２】
本発明は、印刷装置製造産業に利用可能である。
【図面の簡単な説明】
【００５３】
【図１】印刷装置２０を含む印刷システム１０の構成の概略を示す構成図。
【図２】印刷装置２０のメイン基板３０を中心とするブロック図。
【図３】編集設定画面１００の一例を示す説明図。
【図４】応用プリント自由レイアウト処理の一例を示すフローチャート。
【図５】表示用画像追加処理の一例を示すフローチャート。
【図６】画像Ａが格納されたときの表示用データ格納領域の一例を示す説明図。
【図７】レイアウト追加処理の一例を示すフローチャート。
【図８】画像Ａが追加されたときの印刷イメージ１０５の一例を示す説明図。
【図９】表示処理の一例を示すフローチャート。
【図１０】レイアウト変更処理の一例を示すフローチャート。
【図１１】画像Ａをレイアウト変更した際の印刷イメージ１０５を示す説明図。
【図１２】画像Ｄが格納されたときの表示用データ格納領域の一例を示す説明図。
【図１３】画像Ｄが追加されたときの印刷イメージ１０５の一例を示す説明図。
【図１４】画像Ｄをレイアウト変更した際の印刷イメージ１０５を示す説明図。
【図１５】画像Ｆが格納されたときの表示用データ格納領域の一例を示す説明図。
【図１６】画像Ｆが追加されたときの印刷イメージ１０５の一例を示す説明図。
【図１７】１６０×１２０ピクセルの際の表示用データ格納領域を示す説明図。
【図１８】表示用画像削除処理の一例を示すフローチャート。
【図１９】レイアウト削除処理の一例を示すフローチャート。
【図２０】通常プリントモードの編集設定画面２００の一例を示す説明図。
【符号の説明】
【００５４】
１０  印刷システム、１２  テレビ受像器、１４  ケーブル、１５  ＰＣカード、１６  ＰＣ、１７  周辺機器、１９  電源、２０  印刷装置、２２  印刷装置本体、２３  正面、２４  カバー、２５  操作パネル、２６  受光部、２７  カードスロット、３０  メイン基板、３２  メイン制御ユニット、３４  ＲＯＭ、３６  ＳＤＲＡＭ、３８  カード操作部制御ユニット、４０  ビデオチップ、４２  ＶＲＡＭ、４４  モータドライバ、４６  ヘッド用ＤＡＣ、４８  ホスト用ＵＳＢコネクタ、５０  デバイス用ＵＳＢコネクタ、６０  キャリッジモータ、６１  ＰＦモータ、６２  ポンプモータ、６３  印刷ヘッド、６４  ＣＲエンコーダ、６５  ＰＦエンコーダ、６６  ＤＶＤトレー検出センサ、６７  用紙検出センサ、６８  用紙トレー検出センサ、６９  カバーオープンセンサ、９０  リモコン、９２  発光部。
【図１】
2005161805.tif 000003
【図２】
2005161805.tif 000004
【図３】
2005161805.tif 000005
【図４】
2005161805.tif 000006
【図５】
2005161805.tif 000007
【図６】
2005161805.tif 000008
【図７】
2005161805.tif 000009
【図８】
2005161805.tif 000010
【図９】
2005161805.tif 000011
【図１０】
2005161805.tif 000012
【図１１】
2005161805.tif 000013
【図１２】
2005161805.tif 000014
【図１３】
2005161805.tif 000015
【図１４】
2005161805.tif 000016
【図１５】
2005161805.tif 000017
【図１６】
2005161805.tif 000018
【図１７】
2005161805.tif 000019
【図１８】
2005161805.tif 000020
【図１９】
2005161805.tif 000021
【図２０】
2005161805.tif 000022